(57)【要約】【課題】鉄板や鍋等の底面積の広い熱盤を使用しても、ガスバーナの熱が本体ケーシング内にこもることがなく安全に使用することができ、かつ安価に製造し得る携帯ガスコンロを提供する。【解決手段】ガスバーナを本体ケーシングに固定する一方、汁受け皿をガスバーナの垂直方向に持ち上げるように動作する支持部材を設け、かつ上方に持ち上げられた汁受け皿と前記ガスバーナとの間に、断熱材からなる円筒状のフードを配置して携帯ガスコンロを構成する。【選択図】図５
2010139172.tif 000002
【特許請求の範囲】
【請求項１】
本体ケーシング内に、平面形状が略円形をなすガスバーナを収容するガスバーナ収容部と、カセットガスボンベを収容して前記ガスバーナにガスを供給するガスボンベ収容部を有し、前記ガスバーナの周縁部外方に汁受け皿が設けられ、前記汁受け皿に五徳が載置されて使用される携帯ガスコンロであって、前記ガスバーナを前記本体ケーシングに固定する一方、前記汁受け皿を前記ガスバーナの垂直方向に持ち上げるように動作する支持部材を設け、かつ前記上方に持ち上げられた汁受け皿と前記ガスバーナとの間に、断熱材からなる円筒状のフードを配置してなることを特徴とする携帯ガスコンロ。
【請求項２】
前記フードは、前記ガスバーナの上方から該ガスバーナに着脱可能となっていることを特徴とする請求項１に記載の携帯ガスコンロ。
【請求項３】
前記フードは、一端側が前記汁受け皿に固定され他端側が前記ガスバーナに固定され、前記汁受け皿の持ち上げ動作に伴い垂直方向に拡縮する拡縮部材により構成されていることを特徴とする請求項１に記載の携帯ガスコンロ。
【請求項４】
前記フードは、上方に広く開口したベルマウス状をなしていることを特徴とする請求項１ないし３のいずれかに記載の携帯ガスコンロ。
【請求項５】
前記五徳には、前記略円形の径方向にスライドするスライド部材が設けられていることを特徴とする請求項１ないし４のいずれかに記載の携帯ガスコンロ。
【発明の詳細な説明】
【技術分野】
【０００１】
本発明は、鉄板や鍋等の底面積の広い熱盤の使用に対応できる、携帯可能なカセットガスボンベ用のガスコンロ（以下、「携帯ガスコンロ」という）に関する。
【背景技術】
【０００２】
例えば、屋外でのキャンプやバーベキュー等では、鉄板あるいは鍋等の底面積の広い熱盤を携帯ガスコンロに載せ、野菜や肉等を調理することが行われる。
【０００３】
この携帯ガスコンロは、通常、本体ケーシング内に、平面形状が略円形のガスバーナを収容するガスバーナ収容部と、カセットガスボンベを収容してガスバーナにガスを供給するガスボンベ収容部を有し、ガスバーナの周縁部外方に汁受け皿が設けられ、この汁受け皿に五徳が載置されて使用されるようになっている。
【０００４】
しかしながら、このような携帯ガスコンロに上述した底面積の広い熱盤を載せると、熱盤がガスバーナ収容部にまで跨ってしまい、これにより本体ケーシング内に熱がこもると共に、高温の熱が熱盤を伝ってカセットガスボンベに接近するため、カセットガスボンベが爆発するという危険性があった。
【０００５】
そこで、従来、このような危険性を防止するようにした携帯ガスコンロが本出願人によって提案されている（特許文献１）。すなわち、この携帯ガスコンロは、上述したように、略円形のガスバーナを収容するガスバーナ収容部と、カセットガスボンベを収容してガスバーナにガスを供給するガスボンベ収容部を本体ケーシング内に有し、ガスバーナの周縁部外方に汁受け皿が設けられ、この汁受け皿に五徳が載置されて使用される携帯ガスコンロであって、底面積の広い熱盤を使用する場合には、支持部材により汁受け皿とガスバーナとを本体ケーシングより垂直方向に持ち上げ、ガスバーナの炎と本体ケーシングとの距離を作り出し、これにより熱が本体ケーシング内にこもらないようにしたものである。
【０００６】
しかしながら、この携帯ガスコンロは、上述したように、汁受け皿と共にガスバーナそのものを本体ケーシングから垂直方向に持ち上げる方式のものであったため、装置構成がかなり複雑なものとなって製造コストがアップするという問題があり、実用化には更なる改善が望まれていた。
【特許文献１】特許第４０７４８３８号公報
【発明の開示】
【発明が解決しようとする課題】
【０００７】
本発明は上述したような実情に鑑みてなされたもので、その目的とするところは、鉄板や鍋等の底面積の広い熱盤を使用しても、ガスバーナの熱が本体ケーシング内にこもることがなく安全に使用することができ、かつ安価に製造し得る携帯ガスコンロを提供することにある。
【課題を解決するための手段】
【０００８】
本発明の上記目的は、本体ケーシング内に、平面形状が略円形をなすガスバーナを収容するガスバーナ収容部と、カセットガスボンベを収容して前記ガスバーナにガスを供給するガスボンベ収容部を有し、前記ガスバーナの周縁部外方に汁受け皿が設けられ、前記汁受け皿に五徳が載置されて使用される携帯ガスコンロであって、前記ガスバーナを前記本体ケーシングに固定する一方、前記汁受け皿を前記ガスバーナの垂直方向に持ち上げるように動作する支持部材を設け、かつ前記上方に持ち上げられた汁受け皿と前記ガスバーナとの間に、断熱材からなる円筒状のフードを配置してなることを特徴とする携帯ガスコンロを提供することにより達成される。
【０００９】
また、本発明の上記目的は、前記フードは、前記ガスバーナの上方から該ガスバーナに着脱可能となっていることを特徴とする携帯ガスコンロを提供することにより、より効果的に達成される。
【００１０】
また、本発明の上記目的は、前記フードは、一端側が前記汁受け皿に固定され他端側が前記ガスバーナに固定され、前記汁受け皿の持ち上げ動作に伴い垂直方向に拡縮する拡縮部材により構成されていることを特徴とする携帯ガスコンロを提供することにより、より効果的に達成される。
【００１１】
また、本発明の上記目的は、前記フードは、上方に広く開口したベルマウス状をなしていることを特徴とする携帯ガスコンロを提供することにより、より効果的に達成される。
【００１２】
さらにまた、本発明の上記目的は、前記五徳には、前記略円形の径方向にスライドするスライド部材が設けられていることを特徴とする携帯ガスコンロを提供することにより、より効果的に達成される。
【発明の効果】
【００１３】
請求項１に係る発明によれば、底面積の広い熱盤を使用する場合には、熱盤が支持部材を介してガスボンベ収容部から遠ざけられるので、熱盤からの熱によりガスボンベが爆発する心配がなく、また、ガスバーナを本体ケーシングに固定したままの構造であって、従来のようにガスバーナを垂直上方に持ち上げる構造のものではないので、装置構成がシンプル化され、これにより製造コストを低減することができる。また、断熱材からなるフードを配置することにより、ガスバーナの炎が風によって吹き消されることがなく、さらにまた、火力を上方に集中させることができるので、熱効率を向上させることができる。
【００１４】
請求項２に係る発明によれば、上述したフードを上方からガスバーナに装着するだけで準備作業を簡単かつ迅速に行うことができる。
【００１５】
請求項３に係る発明によれば、上述したフードが汁受け皿の持ち上げ動作に追従して自動的に配置されるので、準備作業を更に効率的に行うことができる。
【００１６】
請求項４に係る発明によれば、上述したフードが上方に広く開口したベルマウス状をなしているので、ガスバーナの熱を熱盤に一層効率よく付与することができる。
【００１７】
請求項５に係る発明によれば、スライド部材をガスバーナの径方向にスライドさせ、五徳の受金間の距離を熱盤の大きさに応じて調節することにより、熱盤を五徳に安定して載置することができる。
【発明を実施するための最良の形態】
【００１８】
以下、本発明の内容を好ましい実施例に基づき説明する。なお、本発明は必ずしも以下の実施例に限定されるものではなく、特許請求の範囲を逸脱しない範囲において、その構成を種々に変更できるものであることはいうまでもない。
【００１９】
図１は、本発明の一実施形態に係る携帯ガスコンロ１の上面図であり、図２は、その側面図である。
【００２０】
本携帯ガスコンロ１は、本体ケーシング２内に、略円形のガスバーナ３を収容するガスバーナ収容室４と、カセットガスボンベ５を収容してガスバーナ３にガスを供給するガスボンベ収容室６を有し、ガスバーナ３の周縁部外方に汁受け皿７が設けられ、この汁受け皿７に五徳８が載置されて使用されるものである。
【００２１】
本体ケーシング２は、上壁２ａ、側壁２ｂ、底壁２ｃによって平面視が矩形状の箱体をなし、内部が隔壁２ｄで仕切られてガスバーナ収容室４とガスボンベ収容室６が形成され、下面には脚台９が設けられてなるもので、手軽に持ち運びができ、好きな場所に載置して使用できるようになっている。
【００２２】
ガスボンベ収容室６は、その側部が開放され、この開放部に蓋１０が点線矢印で示すように開閉自在に設けられている。図１に示すように、カセットガスボンベ５は、この開放部からガスボンベ収容室６に収納され、その後に蓋１０が閉められる。
【００２３】
ガスボンベ収容室６には、ガス量調節つまみ１１を回動させることによりガスバーナ３へのガスの流入量が調節されるガス流入量調節器１２が設けられている。なお、このガス量調節つまみ１１は公知の点火機能も有しており、回動することにより、バーナ部３ａに近接して設けられた着火部(図示せず)に自動点火ができるようになっている。カセットガスボンベ５はこのガス流入量調節器１２にセットされた後、ガスボンベ着脱つまみ１３及びこれに連結された固定バー１４を介してガスボンベ収容室６内の所定位置にクランプされる。ガス流入量調節器１１には、ガスバーナ収容室４内のガスバーナ３にガスを供給するガス供給管１５が接続されている。
【００２４】
ガスバーナ収容室４の略中央部上面は調理面とされ、ガスバーナ３はバーナ部３ａが上壁２ａの開口部２ｆから露出され、本体が固定板２ｅを介して本体ケーシング２の底壁２ｃに固定されている。上述したように、このガスバーナ３の周縁部外方に汁受け皿７が配設され、この汁受け皿７に後述する鍋や鉄板等の熱盤１９を支持する五徳８が載置される。
【００２５】
ガスバーナ３の外周には、後述するブラケット１７が取り付けられており、このブラケット１７に図２に仮想線で示すような円筒状のフード１８が装着されるようになっている。このフード１８は、汁受け皿７をガスバーナ３の垂直上方に持ち上げた場合に、バーナ部３ａの炎が外側からの風によって吹き消されたり、火力が弱められたりすることを防止するために用いられる。
【００２６】
図３に断面図で示すように、フード１８は、耐熱性を有する金属材あるいは樹脂材等により上方が広く開口されたベルマウス状に形成されている。フード１８をこのような形状とすることにより、バーナ部３ａの熱を熱盤に効率よく導くことができる。
【００２７】
フード１８は、汁受け皿７を垂直上方に持ち上げた後、汁受け皿７の開口部７ａから下方に挿入され、その下端部１８ａがブラケット１７に載置されてガスバーナ３に固定される。なお、フード１８は固定板２ｅに固定することも可能であり、上方に持ち上げられた汁受け皿７とガスバーナ３との間に実質的に配置され得るものであれば、その構造はとくに限定されるものではない。
【００２８】
ガスバーナ収容室４には、汁受け皿７をガスバーナ３の垂直上方に持ち上げ、調理面をバーナ部３ａから引き離すための支持部材１６が設けられている。
【００２９】
この支持部材１６は、図４に斜視図で示すように、長尺矩形状の上部スティ１６Ａと下部スティ１６Ｂ、及びガイドピン１６Ｃとで構成されている。上部スティ１６Ａには垂直方向上端部１６Ａａ側から下端部１６Ａｂ側に向かって直線状に延び、下端部１６Ａｂ側で鉤状に屈曲して形成されたガイド溝１６ｓが透設されている。一方、下部スティ１６Ｂの上端部１６Ｂａ側には、一点鎖線で（後述する図５では実線で）示すように、ガイドピン１６Ｃが先端部を突出するようにして固定され、この突出した先端部がガイド溝１６ｓに沿ってガイドされるようになっている。
【００３０】
上部スティ１６Ａの上端部１６Ａａは汁受け皿７の本体７ｂの底面にネジ止めされ、一方、下部スティ１６Ｂの下端部１６Ｂｂは固定板２ｅにネジ止めされている。
このように、支持部材１６は上部スティ１６Ａが下部スティ１６Ｂの面上を垂直方向に摺動するように構成されており、汁受け皿７の移動に伴い、支持部材１６の高さが通常の調理高さ位置Ｈ１と底面積の広い熱盤を用いての調理高さ位置Ｈ２の２位置に変えられるようになっている。
【００３１】
図４は、支持部材１６の高さが調理高さ位置Ｈ２にあり、ガイドピン１６Ｃの突出先端部が鉤状に屈曲されたガイド溝１６ｓ内に位置している場合を示している。
【００３２】
なお、この支持部材１６は、高さ方向に伸縮可能であって、伸ばした状態で固定できる構造のものであればよく、必ずしも上述の実施形態に限定されるものではない。
【００３３】
図５は、本携帯ガスコンロ１の要部断面図で、とくに、汁受け皿７が図２に示される状態からガスバーナ３の垂直上方に持ち上げられた場合を示したものである。なお、説明の都合上、五徳８は汁受け皿７から取り外されているが、使用時には仮想線で示されるように汁受け皿７に載置される。
【００３４】
この五徳８は、矩形状の枠体８ａの四隅に受金８ｂが固着され、この受金８ｂに矢印Ｙで示すバーナ部３ａの径方向にスライドするスライド部材８ｃが設けられている。このスライド部材８ｃは、底面積が広い熱盤１９を五徳８に載置する場合に、その熱盤１９の大きさに応じ放射方向に適宜に引き出される。
【００３５】
また、汁受け皿７は、中央部に円形の開口部７ａを有し、本体７ｂの左右両側には汁受け皿７を上方に持ち上げるときに使用される把手７ｃが設けられている。なお、この開口部７ａからフード１８が装着されることは前述したとおりである。
【００３６】
次に、以上のとおり構成された本携帯ガスコンロ１の使用方法を説明する。
【００３７】
先ず、汁受け皿７を、図２に示すような通常の調理高さ位置Ｈ１から調理高さ位置Ｈ２に変える場合には、汁受け皿７の把手７ｃを両手で持って汁受け皿７を上方に持ち上げる。この動作に伴い、支持部材１６の上部スティ１６Ａが下部スティ１６Ｂの面上を垂直方向に摺動し、これによりガイドピン１６Ｃの突出先端部がガイド溝１６ｓの最下端部に達する。このとき、把手７ｃを幾分前方に移動させて上部スティ１６Ａの位置をずらせることにより、ガイドピン１６Ｃの突出先端部がガイド溝１６ｓの鉤状部に嵌着し、これにより支持部材１６が所定の調理高さ位置Ｈ２に設定される。
【００３８】
続いて、フード１８を汁受け皿７の開口部７ａからガスバーナ収容室４内に挿入し、その下端部１８ａをブラケット１７に載置してガスバーナ３に固定する。このように、フード１８を上方に持ち上げられた汁受け皿７とガスバーナ３との間に配置することにより、バーナ部３ａから立ち昇る炎が風によって吹き消されたり、火力が弱められたりすることを防止することができ、熱を上方に効率よく導くことができる。
【００３９】
この後、図５に示すように、五徳８を汁受け皿７上の所定位置に載置し、五徳８のスライド部材８ｃを所望の長さに設定することにより準備が完了する。
【００４０】
なお、調理高さ位置Ｈ２から通常の調理高さ位置Ｈ１に変更する場合には、上記と逆の手順で目的が達成される。
【００４１】
以上のとおり、本携帯ガスコンロ１は、調理高さ位置を変更する場合に、汁受け皿７のみを上方に持ち上げるという極めてシンプルな構造となっているため、ガスバーナ３そのものを持ち上げる機構を採用している従来の携帯ガスコンロに較べ、製造コストを大幅に低減させることができる。また、五徳８の受金８ｂの位置を熱盤１９の大きさに対応して任意に変えられるようになっているので、実用上大変便利である。
【００４２】
このように、本携帯ガスコンロ１では、底面積の広い熱盤１９を用いて調理をする場合に熱盤１９とガスボンベ５との距離が大きくとられるので、熱盤１９の熱によりガスボンベ５が爆発する心配がない。
【００４３】
なお、支持部材１６の高さを任意に変えられるようにすると共に、フード１８の形状及び大きさをこの調理高さに応じていくつか準備しておくことにより、種々の大きさの熱盤１９にも対応することができる。
【００４４】
図６は、本発明の要部であるフードの他の実施形態を、図５に準じて示したものである。
なお、図６では、説明の都合上、五徳８が取り外されている。
【００４５】
このフード１８Ｘは、断熱性を有する可撓性シート材（例えばシリカクロスのような不燃織布単体、あるいは不燃織布とガラスクロス張りアルミ箔等の断熱材との積層体）を用いて本体１８Ｘａを蛇腹状に形成し、かつ、その断面形状を、図６に仮想線で示すように、上方に開口したベルマウス状に近似して形成してなるものである。
【００４６】
フード１８Ｘは、上端部１８Ｘｂが汁受け皿７の本体７ｂの底面にネジ止めされ、下端部１８Ｘｃがガスバーナ３の外周に設けられたブラケット１７にネジ止めされており、汁受け皿７の垂直方向の移動により本体１８Ｘａが拡縮するように構成されている。
【００４７】
図示するように、汁受け皿７がガスバーナ３の垂直上方に持ち上げられると、フード１８Ｘの本体１８Ｘａが拡張され、これによりバーナ部３ａから立ち昇る炎が風によって吹き消されたり、火力が弱められたりすることを防止することができ、熱を上方に効率よく導くことができる。
【００４８】
図７は、前記実施形態の場合と同様にして、図６の調理高さ位置Ｈ２から通常の調理高さ位置Ｈ１に変更された場合の状態を示したものである。図示するように、汁受け皿７が通常の調理高さ位置Ｈ１に戻されると、フード１８Ｘの本体１８Ｘａが縮小される。
【００４９】
本実施形態によれば、フード１８Ｘが汁受け皿７の移動に伴い、上方に持ち上げられた汁受け皿７とガスバーナとの間に自動的に配置されるので、前述した実施形態の場合に較べ操作が簡単化される利点がある。
【００５０】
図８は、本発明の要部であるフードのさらに他の実施形態を、図６に準じて示したものである。このフード１８Ｙは、径が異なる３つの金属製の円筒体１８Ｙ１、１８Ｙ２、１８Ｙ３が図示するように夫々嵌着されて本体１８Ｙａが竹の子状に形成され、かつ、その断面形状が、図６に仮想線で示すように、上方に開口したベルマウス状に近似して形成されてなるものである。
【００５１】
フード１８Ｙは、上端部１８Ｙｂが汁受け皿７の本体７ｂの底面にネジ止めされ、下端部１８Ｙｃがガスバーナ３の外周に設けられたブラケット１７にネジ止めされており、汁受け皿７の垂直方向の移動により本体１８Ｙａが拡縮するように構成されている。
【００５２】
前記実施形態と同様に、汁受け皿７がガスバーナ３の垂直上方に持ち上げられると、フード１８Ｙの本体１８Ｙａが拡張され、これによりバーナ部３ａから立ち昇る炎が風によって吹き消されたり、火力が弱められたりすることを防止することができ、熱を上方に効率よく導くことができる。
【００５３】
図９は、前記実施形態の場合と同様にして、図８の調理高さ位置Ｈ２から通常の調理高さ位置Ｈ１に変更された場合の状態を示したものである。図示するように、汁受け皿７が通常の調理高さ位置Ｈ１に戻されると、フード１８Ｙの本体１８Ｙａが縮小される。
【００５４】
本実施形態によれば、前記実施形態と同様に、フード１８Ｙが汁受け皿７の移動に伴い、上方に持ち上げられた汁受け皿７とガスバーナ３との間に自動的に配置されるので、操作が簡単化される利点がある。
【図面の簡単な説明】
【００５５】
【図１】本発明の一実施形態に係る携帯ガスコンロの上面図である。
【図２】上記携帯ガスコンロの側面図である。
【図３】上記携帯ガスコンロで使用されるフードの断面図である。
【図４】上記携帯ガスコンロで使用される支持部材の斜視図である。
【図５】上記携帯ガスコンロの要部断面図である。
【図６】本発明の他の実施形態の要部断面図である。
【図７】上記他の実施形態の動作説明図である。
【図８】本発明のさらに他の実施形態の要部断面図である。
【図９】上記さらに他の実施形態の動作説明図である。
【符号の説明】
【００５６】
１              携帯ガスコンロ
２              本体ケーシング
３              ガスバーナ
３ａ            バーナ部
４                      ガスバーナ室
５                      カセットガスボンベ
６                      ガスボンベ室
７                      汁受け皿
８                      五徳
９                      脚台
１０                    蓋
１１                    ガス量調節つまみ
１２                    ガス流入量調節器
１３                    ガスボンベ着脱つまみ
１４                    固定バー
１５                    ガス供給管
１６                    支持部材
１７                    ブラケット
１８、１８Ｘ、１８Ｙ    フード
１９                    熱盤
【図１】
2010139172.tif 000003
【図２】
2010139172.tif 000004
【図３】
2010139172.tif 000005
【図４】
2010139172.tif 000006
【図５】
2010139172.tif 000007
【図６】
2010139172.tif 000008
【図７】
2010139172.tif 000009
【図８】
2010139172.tif 000010
【図９】
2010139172.tif 000011